(57)【要約】      （修正有）【課題】通常  液体（水、アルコール等）の分子はファンデルワールス力や水素結合の力によりその分子どうしが沢山つながり合い、大きな分子群となっている。食品（飲物含む）や他の液体（医薬品、化粧品、工業溶液、自動車等に使用している液体、等）を物流時や保存時及び使用時に、時間をかけて磁石の磁界によりその分子群を細分化（磁化）する、食品及び液体の劣化防止、活性化器を提供する。【解決手段】鉄製（磁性体）のヨーク２をかぶせた永久磁石１を非磁性体（弱磁性体含む）のケース３で被覆したことを特徴とするケース、シート、容器。【選択図】  図１
2004175448.tif 000002
【特許請求の範囲】
【請求項１】
容器別体型  磁化式食品劣化防止・活性化器
図１のように鉄製（磁性体）のヨーク（２）をかぶせた永久磁石（１）を非磁性体のケース（３）で被覆し、その上に食品を置き易い形状にした磁化式食品劣化防止・活性化器。
このケース（３）を沢山並べた形状にすれば、図３のような磁化式食品劣化防止・活性化できるキャリアケースとなる。又、図４のようにシート形状に埋め込めば、磁化式食品劣化防止・活性化できる袋、包装材、シートとなる。
【請求項２】
容器一体型  磁化式食品劣化防止・活性化器
図２のように、再利用するビンやペットボトル等の非磁性体に、鉄製（磁性体）のヨーク（２）をかぶせた永久磁石（１）を直接埋め込んだ磁化式食品劣化防止・活性化器。
【請求項３】
本発明は食品だけでなく、医薬品（アルコール、ブドウ糖液等）や化粧品（液体のもの）、工業溶液（油類、シンナー等）、自動車等に使用している液体（油類、燃料、バッテリー等）、生物に必要な水（花瓶、水槽等）等に利用できる磁化式液体劣化防止・活性化器。
【発明の詳細な説明】
【０００１】
【産業上の利用分野】
通常  液体（水、アルコール等）の分子はファンデルワールス力や水素結合の力によりその分子どうしが沢山つながり合い、大きな分子群となっている。本発明は、食品の物流時や保存時に磁石を用いて磁界を出し、食品（飲物含む）の分子群を細分化（磁化）して、劣化を防ぎ活性化する（鮮度の落ちかけた食品を本来の味に戻す）容器又はシートに関するものである。
【０００２】
【従来の技術】
従来、磁石を用いて食品を磁化するものとして、次の様な物があった。
（イ）水道管に磁石を取付けて、飲料水を磁化するもの。
（ロ）大きなタンクに磁化装置を取付けて磁化水を大量に作るもの。
【０００３】
【発明が解決しようとする課題】
従来は、次の様な欠点があった。
（イ）水道管に磁石を取付けて、水を磁化するものでは、磁化速度より水の流速の方が速く、完全に磁化（水の分子群を細分化）できない。
（ロ）大きなタンクに磁化装置を取付けて、磁化水を作るものは業務用となってしまい家庭用には適さない。
又、業務用で使用する場合、磁化水を作って容器に入れて販売するまでの時間に磁化が解けてしまい、通常の水（大きな分子群）になってしまう。
（ハ）飲み水以外の食品を磁化するものは無かった。
本発明は、これらの欠点を除く為になされたものである。
【０００４】
【課題を解決する為の手段】
図１のように、鉄製（磁性体）のヨーク（２）をかぶせた永久磁石（１）を非磁性体のケース（３）で被覆し、使い易い形状にする。
この上に、包装された食品やビン・カン・ペットボトル等の飲物を置いておくことにより、その食品（飲物含む）を磁化し、その分子群を細分化し、劣化を防ぎ、活性化（鮮度の落ちかけた食品を本来の味に戻す）する。
本発明は、以上のような構成により成る  磁化式  食品劣化防止・活性化器である。
【０００５】
【作  用】
通常  液体（水、アルコール等）の分子はファンデルワールス力や水素結合の力によりその分子どうしが沢山つながり合い、大きな分子群となっている。本発明は、食品（飲物含む）の流通及び保存時にその食品を、時間をかけて磁化することができる。
これにより牛乳等の飲物は、その分子群が細分化される為、劣化し難く、栄養的に、吸収の良い物となる。
特に、酒類ではアルコール分子群が細分化し、おいしくなり悪酔いしなくなる。又、生鮮食品の表面には水分が含まれている為、その水分子群を細分化し劣化し難くする。
本発明は、図１、図２、図３、図４のような形状で、磁石の磁力を用いて食品（飲物含む）の分子群を流通、保存の時間で細分化し、劣化を防ぎ、活性化する作用をもたらす。
【０００６】
【実施例】
以下、本発明の実施例について説明する。
（イ）図１のように、鉄製（磁性体）のヨーク（２）をかぶせた永久磁石（１）を非磁性体のケース（３）で被覆し、皿のような形状とする。
この上に包装された食品やビン・カン・ペットボトル等の飲物を置いておくと、その食品（飲物含む）は磁化し、その分子群は細分化される。
（ロ）図２のように、再利用するものに関しては、非磁性体のビンやペットボトル等の容器に、鉄製（磁性体）のヨーク（２）をかぶせた永久磁石（１）を直接埋め込む。この中に飲物を入れておくと、その飲物は、磁化しその分子群は細分化される。
（ハ）図３のように、図１のケース（３）を沢山並べた形状にすれば、キャリアケースとなり、物流時にも磁化し、その分子群を細分化することができる。
（ニ）図４のように、軟らかいシート形状の非磁性体に、鉄製（磁性体）のヨーク（２）をかぶせた永久磁石（１）を埋め込めば、ショーケース、冷蔵庫等の中に敷くことができ、又、食品を包むこともできる。又、使い易い形状に簡単に切断することができる。
これにより、飲物はそれ自身を、食物はその表面の水分を磁化し、その分子群を細分化することができる。
【０００７】
【発明の効果】
通常  液体（水、アルコール等）の分子はファンデルワールス力や水素結合の力によりその分子どうしが沢山つながり合い、大きな分子群となっている。
本発明は、以上のように、食品（飲物含む）を、物流時や保存時に時間をかけて磁界を出し、その分子群を細分化（磁化）することによって以下のような効果がある。
（イ）装置を用いて食品（飲物含む）を磁化する手間が不要である。
（ロ）物流時や保存時に時間をかけて磁化する為、その分子群の細分化は完全に近く、又、一番、食品の劣化し易いときに磁化している為、その分子群の細分化には持続性がある。
（ハ）牛乳等の飲物では、その分子群の細分化により、おいしく飲め、栄養的に吸収率が高くなる。又、分子群の細分化により殺菌作用が高まり劣化し難くなる為、賞味期間が延びる。
（ア）酒類では、そのアルコール分子群を細分化し、良質のアルコールとなる為、２クラス上のおいしい酒となる。又、悪酔い、二日酔いが避けられ、人体に対する影響も少なくなる。
（ニ）生鮮食料品では、その食品の表面の水分を磁化し、水分子群を細分化するので、殺菌作用がその表面に高まり、一番劣化し易い、食品の表面の劣化を防ぐ。これにより、賞味期間が延びる。
（ヘ）花瓶では、その水分子群を細分化、活性化するので、水自身が劣化し難くなり、又、水分の吸収が良くなる為、切花等が長持ちする。
（ト）本発明は、ヨーク（２）により磁化面以外には磁界を出さない為、他の物（鉄等）とくっつくことがない。又、ガラスやプラスチック等の非磁性体のケース（３）やシート（４）により洗浄が簡単で衛生的である。
以上のように、本発明は、物流時や保存時に、時間をかけて食品（飲物含む）に磁石を用いて磁界を出し、その分子群を細分化（磁化）することによって劣化を防ぎ、賞味期間が延びたり、その食品の本来の味に戻したり（活性化）することが簡単にできることが特徴である。
その効果は、通常の状態と本発明とを同条件で比較実験してみたが、牛乳、酒類（アルコール）、生鮮食料品、花瓶等で顕著に立証できた。
尚、本発明は、食品だけでなく、医薬品（アルコール・ブドウ糖液等）や化粧品（液体のもの）、工業用溶液（油類、シンナー等）、自動車等に使用している液体（油類、燃料、バッテリー等）、生物に必要な水（花瓶、水槽等）等にも利用できる。又、ケース（３）やシート（４）及び容器（５）は、非磁性体としたが、アルミ、ステンレス、銅等の弱磁性体のものでも良い。
又、本発明の実施例では、丸い永久磁石を用いたが、強力な磁石であればどんな形でもよく、電源のある所であれば電磁石でも良い。
【図面の簡単な説明】
【図１】容器別体型  磁化式  食品劣化防止・活性化器の図面である。構成内容を示す。
【図２】容器一体型  磁化式  食品劣化防止・活性化器の図面である。
【図３】図１のケース（３）をキャリアケースの形状とした  容器別体型  磁化式  食品劣化防止・活性化器の斜視図である。
【図４】図１のケース（３）をシート形状にした  容器別体型  磁化式  食品劣化防止・活性化器の斜視図である。
【符号の説明】
１、  永久磁石
２、  鉄製（磁性体）のヨーク
３、  非磁性体又は弱磁性体のケース
４、  非磁性体又は弱磁性体のシート
５、  非磁性体又は弱磁性体の容器
【図１】
2004175448.tif 000003
【図２】
2004175448.tif 000004
【図３】
2004175448.tif 000005
【図４】
2004175448.tif 000006